(57)【要約】【課題】外側壁と内側壁とを別々に構成して対峙させ、底部（又は蓋部）は別途形成して水路を構成することにより、汎用性向上、短期施工及び施工コスト低減を図ることができる迂回側溝を提供する。【解決手段】別々に形成された外側壁１１及び内側壁１２を、掘穿された地中に対峙させ、しかる後、これら外側壁１１及び内側壁１２どうしの間にコンクリートを打設することにより側溝の底部（水路敷）を形成してなる迂回側溝１００である。【選択図】図５
2008002185.tif 000002
【特許請求の範囲】
【請求項１】
流水経路を局部的に変更し側溝ブロック敷設線上の障害物を迂回するため薄板状に形成したプレキャストコンクリートからなる側溝用側壁ブロックであって、
側溝ブロック敷設方向に延伸する両側の基礎壁面部と、これら両基礎壁面部間に一体的に連設された前記障害物を迂回するための突出壁面部とからなり、
前記流水経路を局部的に変更する場所において、前記両側の基礎壁面部を隣接する側溝ブロックの表側壁又は裏側壁の何れか片側壁に連結させて敷設することを特徴とする側溝用側壁ブロック。
【請求項２】
請求項１記載に記載した側溝用側壁ブロックにおいて、
突出壁面部は、両側の基礎壁面部から漸次接近して立ち上がる突出斜面部と、これら突出斜面部の先端を連結する突出頂面部とにより一体形成されていることを特徴とする側溝用側壁ブロック。
【請求項３】
請求項１記載に記載した側溝用側壁ブロックにおいて、
突出壁面部は、両側の基礎壁面部から互いに鋭角に立ち上がる突出垂直面部と、これら突出垂直面部の先端を連結する突出頂面部とにより一体形成されていることを特徴とする側溝用側壁ブロック。
【請求項４】
請求項１記載に記載した側溝用側壁ブロックにおいて、
突出壁面部は、両側の基礎壁面部から漸次接近して立ち上がる湾曲突出面に形成されていることを特徴とする側溝用側壁ブロック。
【請求項５】
請求項１乃至請求項４の何れかに記載した側溝用側壁ブロックの基礎壁面部の全部又は一部を、敷設作業時に幅方向へと縦切断して排除した後に、残りの基礎壁面部又は突出壁面部の突出斜面部と側溝ブロックの片側壁とを連結することを特徴とする側溝用側壁ブロックの敷設方法。
【請求項６】
請求項１乃至請求項４の何れかに記載した側溝用側壁ブロックの突出壁面部の突出斜面部の一部を、敷設作業時に幅方向へと縦切断して排除した後に、残りの突出斜面部と側溝ブロックの片側壁とを連結することを特徴とする側溝用側壁ブロックの敷設方法。
【請求項７】
請求項１乃至請求項４の何れかに記載した側溝用側壁ブロックの突出頂面部を、予めその適宜位置で幅方向へと縦切断して２個に分割形成した側溝用側壁ブロックを、その敷設場所において、前記突出頂面相互を連結し、且つ基礎壁面部又は突出壁面部の突出斜面部と側溝ブロックの片側壁とを連結することを特徴とする側溝用側壁ブロックの敷設方法。
【請求項８】
流水経路を局部的に変更し側溝ブロック敷設線上の障害物を迂回するため薄板状に形成したプレキャストコンクリートからなる側溝用側壁ブロックであって、
側溝ブロック敷設方向に延伸する基礎壁面部と、この基礎壁面部から斜めに立ち上がる突出斜面部と、この突出斜面部の先端に一体的に連設された前記基礎壁面部と略平行に配した突出頂面部とからなり、
前記流水経路を局部的に変更する場所において、前記基礎壁面部を隣接する側溝ブロックの表側壁又は裏側壁の何れか片側壁に連結させるとともに、
前記突出頂面部を、他の側溝ブロック敷設方向に延伸する基礎壁面部と、この基礎壁面部から斜めに立ち上がる突出斜面部と、この突出斜面部の先端に一体的に連設された前記基礎壁面部と略平行に配した突出頂面部とからなる側溝用側壁ブロックの、当該突出頂面部に連結させで敷設することを特徴とする側溝用側壁ブロック。
【発明の詳細な説明】
【技術分野】
【０００１】
本発明は、複数の側溝用ブロックを並設してなる既設の水路に適用することにより、当該水路の配置を変更可能とする側溝用側壁ブロックに関して、特に、電柱を既設の水路上に移設する際、当該電柱を迂回した水路の構成を可能とする側溝用側壁ブロック及びその敷設方法に関するものである。
【背景技術】
【０００２】
都心部などごく一部の地域では電線の地中埋設化が進んでいるが、郊外など大半の地域では、地面に一定間隔をおいて立設された複数の電柱（電信柱）どうしの間に電線を架設することによって事業所や家庭へと電力供給を行っている。
【０００３】
この電柱は、一般的に公道上に設置されているため、当該公道の幅員を制限する原因となっている。具体的には、道路の脇にはその全長にわたって雨水処理のための側溝が既設されているため、前記電柱は既設の側溝を避けた位置に立設しなければならない。但し、当該電柱は私有地側には設置できない。そのため当該電柱は、必然的に道路側に迫り出した位置に立設されることとなり、これが当該道路に沿って延々続くことから、公道の幅員が制限されるのである。
【０００４】
このような状況において、例えば、道幅４メートル弱の狭い道路（路地など）を自動車で走行した際、対向車とすれ違う場合には、道路上に立設された電柱が交通の妨げとなる。具体的には、電柱が立設された側を走行する自動車の運転者は、道路端に車を寄せると共に、電柱の手前で一時停車して対向車とすれ違い、しかる後に発車させなければならない。電柱は道路に沿って延々と立設されていることから、次々と対向車がやってくる場合には、発車・停車を繰り返す必要がある。確かに、上記の如き道幅の狭い道路の交通量は其程多くはない。しかし、これが幹線道路へと繋がる道路である場合、朝夕の時間帯にあっては交通量が著しく増加するため、前記の如く立設された電柱が交通の障害となって渋滞を引き起こすこととなり、ひいては、接触事故を誘発することにもなりかねない。
【０００５】
そのため、前記電柱を可能な限り車道から後退させる必要がある。しかし、当該電柱を私有地内にまで後退させることが不可能な場合が多い。従って、道路端の水路の位置に立設（移設）するのが最も現実的となる。但し、その場合、当該電柱が水路を遮ってはならないので、該電柱を迂回するようにして水路を構成する必要がある。
【０００６】
このような「迂回水路」を構成する技術として、特許文献１乃至特許文献４に記載の発明が公知となっている。これらの特許文献に記載の発明は、従前、施工現場に設置した型枠内にコンクリートを打設して、その養生に長時間要していたことに伴う工期の長期化という問題点に鑑みなされた発明であり、水路形成部分をカーブ状に形成してなる断面略Ｕ字形状の側溝用ブロックである。そして、これを通常のストレート形状の側溝用ブロックと連結することにより、短い工期で「迂回水路」を構成できる点で、優れた技術である。
【０００７】
しかし、上記特許文献１乃至４に記載の発明は、以下に述べる種々の問題点を有するものであった。まず、これら特許文献に記載された発明は、工期短縮を追求する余り、側壁部と共に底部（又は蓋部）まで一体的に形成してしまっている。即ち、Ｕ字溝ブロックをそのまま曲げてカーブを形成するという技術思想に基づくものである。従って、一対の側壁部及び底部（又は蓋部）の３辺が全て一体となっているため、ブロック自体が大型化して重量が増加し、施工時には大型重機が不可欠となるので、施工コストが増大するという問題が不可避的に発生する。なお、ブロック自体が大型化するということは、運搬時に積み重ねることができない等のロスが発生するため、輸送コストが増大するという問題が発生する。
【０００８】
また、上記各特許文献に記載されたブロックは、一対の側壁部と底部（又は蓋部）とが全て一体となっているため、その断面形状を、別途連結される（ストレート形状の）側溝用ブロックの断面形状と適合するよう形成しなければならない。現在実用されているストレート形状の側溝用ブロックの端面形状（幅寸法・高さ寸法・側壁部の厚さ・蓋掛りの形状など）は様々であるところ、逐一、これら側溝用ブロックの断面形状に合わせてブロック形成する必要があり、多くの種類の型枠が不可欠となる。即ち、製品の汎用化ができないために製造コストが高くなり、ひいては施工コストにまで影響するという問題が発生する。
【特許文献１】実開昭５７−３８８８４号公報
【特許文献２】実開昭５８−３８８８２号公報
【特許文献３】実開平４−７７６８１号公報
【特許文献４】特開２００１−６５０４３号公報
【発明の開示】
【発明が解決しようとする課題】
【０００９】
本発明は、上記諸問題に鑑みて検討した結果、水路形成を目的として施工現場にコンクリートを打設した際の養生に時間が掛かる根本的な原因は、側壁部のコンクリートが硬化するまで型枠を除去できないからであって、当該側壁部を「外側壁」と「内側壁」とに分けてプレキャスト化すれば、「工期の短縮」と「ブロックの汎用化」とを両立できる点に気付き案出されたものである。
【００１０】
従って本発明は、外側壁と内側壁とを別々に構成して対峙させ、底部（又は蓋部）は別途形成して水路を構成することにより、汎用性向上、短期施工及び施工コスト低減を図ることができる「側溝用側壁ブロック」及び「側溝用側壁ブロックの敷設方法」を提供することを目的とする。
【課題を解決するための手段】
【００１１】
上記課題を解決するために本願発明が採った手段以下の通りである。
【００１２】
まず請求項１に記載された発明の側溝用側壁ブロックは、流水経路を局部的に変更し側溝ブロック敷設線上の障害物を迂回するため薄板状に形成したプレキャストコンクリートからなる側溝用側壁ブロックであって、側溝ブロック敷設方向に延伸する両側の基礎壁面部と、これら両基礎壁面部間に一体的に連設された前記障害物を迂回するための突出壁面部とからなり、前記流水経路を局部的に変更する場所において、前記両側の基礎壁面部を隣接する側溝ブロックの表側壁又は裏側壁の何れか片側壁に連結させて敷設することを特徴とするものである。
【００１３】
次に請求項２に係る発明は、請求項１記載に記載した側溝用側壁ブロックにおいて、突出壁面部は、両側の基礎壁面部から漸次接近して立ち上がる突出斜面部と、これら突出斜面部の先端を連結する突出頂面部とにより一体形成されていることを特徴とするものである。
【００１４】
また請求項３に係る発明は、請求項１記載に記載した側溝用側壁ブロックにおいて、突出壁面部は、両側の基礎壁面部から互いに鋭角に立ち上がる突出垂直面部と、これら突出垂直面部の先端を連結する突出頂面部とにより一体形成されていることを特徴とするものである。
【００１５】
さらに請求項４に係る発明は、請求項１記載に記載した側溝用側壁ブロックにおいて、突出壁面部は、両側の基礎壁面部から漸次接近して立ち上がる湾曲突出面に形成されていることを特徴とするものである。
【００１６】
請求項５に係る発明は、請求項１乃至請求項４の何れかに記載した側溝用側壁ブロックの基礎壁面部の全部又は一部を、敷設作業時に幅方向へと縦切断して排除した後に、残りの基礎壁面部又は突出壁面部の突出斜面部と側溝ブロックの片側壁とを連結することを特徴とするものである。
【００１７】
請求項６に係る発明は、請求項１乃至請求項４の何れかに記載した側溝用側壁ブロックの突出壁面部の突出斜面部の一部を、敷設作業時に幅方向へと縦切断して排除した後に、残りの突出斜面部と側溝ブロックの片側壁とを連結することを特徴とするものである。
【００１８】
請求項７に係る発明の側溝用側壁ブロックの敷設方法は、請求項１乃至請求項４の何れかに記載した側溝用側壁ブロックの突出頂面部を、予めその適宜位置で幅方向へと縦切断して２個に分割形成した側溝用側壁ブロックを、その敷設場所において、前記突出頂面相互を連結し、且つ基礎壁面部又は突出壁面部の突出斜面部と側溝ブロックの片側壁とを連結することを特徴とするものである。
【００１９】
そして請求項８に係る発明は、
流水経路を局部的に変更し側溝ブロック敷設線上の障害物を迂回するため薄板状に形成したプレキャストコンクリートからなる側溝用側壁ブロックであって、側溝ブロック敷設方向に延伸する基礎壁面部と、この基礎壁面部から斜めに立ち上がる突出斜面部と、この突出斜面部の先端に一体的に連設された前記基礎壁面部と略平行に配した突出頂面部とからなり、前記流水経路を局部的に変更する場所において、前記基礎壁面部を隣接する側溝ブロックの表側壁又は裏側壁の何れか片側壁に連結させるとともに、前記突出頂面部を、他の側溝ブロック敷設方向に延伸する基礎壁面部と、この基礎壁面部から斜めに立ち上がる突出斜面部と、この突出斜面部の先端に一体的に連設された前記基礎壁面部と略平行に配した突出頂面部とからなる側溝用側壁ブロックの、当該突出頂面部に連結させで敷設することを特徴とするものである。
【発明の効果】
【００２０】
まず、請求項１乃至請求項４に係る発明の「側溝用側壁ブロック」は、側溝における片側の側壁に相当するものである。本発明は、側溝ブロック敷設線上の障害物を迂回すべく流水経路を局部的に変更して、カーブ状の水路を構成するものである。本発明では、カーブの外側の側壁を「外側壁」、カーブの内側の側壁を「内側壁」とし、これらの側壁部分を予めプレキャストコンクリートにて薄板状に形成することで、長時間の養生が不要となって工期の短縮化が実現することとなる。また、本発明に係る側溝用側壁ブロックは薄板状に形成しているので、その断面は非常にシンプルな形状となり、あらゆる側溝用ブロックとの連結が可能となるため、側溝用側壁ブロックの汎用化が可能となって製造コストの低廉化が可能となり、ひいては側溝の施工コストの低廉化を図ることが可能となる。
【００２１】
次に、請求項５及び請求項６に係る発明の「側溝用側壁ブロックの敷設方法」は、当該側溝用側壁ブロックにおける「基礎壁面部の全部又は一部」或いは「突出壁面部の突出斜面部の一部」を、敷設作業時に幅方向へと縦切断して排除した上で、側溝ブロックの片側壁とを連結するものである。そのため、これらの請求項に係る発明によれば、当該側溝用側壁ブロックの何処を切断するかにより、側溝ブロック敷設線上からの横方向への突出量を任意に変更することができる。
【００２２】
さらに、請求項７に係る発明の「側溝用側壁ブロックの敷設方法」、及び、請求項８に係る発明の「側溝用側壁ブロック」は、上記側溝用側壁ブロックが２つの部材から構成されることとなる。そのため、これらの請求項に係る発明によれば、一つ一つの部材が小型化することからブロック構成部材の一つずつが軽量となり、容易に施工することが可能となって施工コストの低廉化に資することとなる。また、一つの部材が小型化することから輸送時に破損する危険性を減らすことができ、更には、輸送する際の無駄な隙間を減らすことができるので、輸送効率が高まることとなる。
【発明を実施するための最良の形態】
【００２３】
本発明に係る側溝用側壁ブロックは、迂回側溝における側壁部に相当するものであり、道路端（又は、車道と歩道との間）に既設された側溝ブロックと組み合わされ使用されて、流水経路を局部的に変更し側溝ブロック敷設線上の障害物を迂回するものである。即ち、当該側溝用側壁ブロックからなる「外側壁」及び「内側壁」を、掘穿された地中に対峙させ、しかる後、これら外側壁及び内側壁どうしの間にコンクリートを打設することにより側溝の底部（水路敷）を形成し、迂回側溝を構成するものである。或いは、別々に形成された前記「外側壁」及び「内側壁」を、掘穿された地中に設置された底部プレート上に対峙させ、しかる後、これら外側壁及び内側壁と底部プレートとを、別途打設したコンクリートにて固着させて、迂回側溝を構成してもよい。
【００２４】
このように構成される迂回側溝であるが、前記側溝用側壁ブロックの高さ寸法を加減することにより、側溝の上面が地表に現れる「地表型」や、側溝の上面が舗装材で覆われる「表装型」や、或いは、完全に地中に潜った状態となる「暗渠型」など、あらゆる態様のものを提供できる。尚、暗渠型とした場合、高さ寸法が短いことから、水路として充分な断面積を確保できない場合も生じうる。その場合、一の迂回側溝の外側に、他の迂回側溝を追加的に設けることにより、充分な水流を確保することができる。本発明の実施態様は特に限定されるものではなく、迂回側溝を形成できるものであればよい。
【００２５】
まず、当該側溝用側壁ブロックは、迂回側溝の「外側壁」又は「内側壁」を構成すべく薄板状に形成されている。このように薄板状に形成したことから、その断面形状は非常にシンプルなものとなり、あらゆる種類の側溝用ブロックと連結が可能となる。
【００２６】
また、当該側溝用側壁ブロックは、その両側に「基礎壁面部」が設けられ、隣接する側溝ブロックの表側壁又は裏側壁の何れか片側壁と連結させることとなる。この擁壁両側の各基礎壁面部の間には「突出壁面部」が設けられ、当該部分によって前記障害物を迂回することとなる。
【００２７】
この突出壁面部は、擁壁両側の前記基礎壁面部から漸次接近して立ち上がる突出斜面部と、これら突出斜面部の先端を連結する突出頂面部とを一体的に形成してなるものである。尚、この突出壁面部は、擁壁両側の前記基礎壁面部から互いに鋭角に立ち上がる突出垂直面部と、これら突出垂直面部の先端を連結する突出頂面部とを一体的に形成してもよい。ここで、当該突出頂面部は、上記基礎平面部と略平行に構成すると好適であるが、特段これに限定されるものではない。更に、当該突出壁面部は、両側の基礎壁面部から漸次接近して立ち上がる湾曲突出面に形成してもよい。
【００２８】
例えば、この突出壁面部を、擁壁両側の前記基礎壁面部から互いに鋭角に立ち上がる突出垂直面部と、これら突出垂直面部の先端を連結する突出頂面部とを一体的に形成した場合には、直線状の側溝内の水流は４箇所の直角部を曲がった後、再度、直線状の側溝へと進むこととなる。但し、この形態で構成した場合には、水路内の角部に滞留が発生するため、其処へ泥などが堆積し易くなる。そのため本発明に係る側溝用側壁ブロックの突出壁面部は、擁壁両側の前記基礎壁面部から漸次接近して立ち上がる突出斜面部と、これら突出斜面部の先端を連結する突出頂面部とを一体的に形成するか、或いは、両側の基礎壁面部から漸次接近して立ち上がる湾曲突出面に形成した方が好適とも考えられる。
【００２９】
また、当該側溝用側壁ブロックは２分割又は３分割された複数の部材にて構成することも考えられる。この場合、これら複数の部材を施工時において一体に接合することとなる。その際、各部材どうしの間はモルタルやシール剤を注入することにより、隙間を埋める必要がある。
【００３０】
当該側溝用側壁ブロックの上部には、プレキャストコンクリート製の蓋やグレーチングを載置するための蓋掛かりを形成するとよい。より具体的には、当該側溝用側壁ブロックにおける他方の側溝用側壁ブロックと対峙する側の上部を断面略Ｌ字形状に切り欠くことが考えられる。尚、当該蓋掛かり上に、グレーチングを収容するための「受枠」を設置する場合には、当該受枠によって各側溝用側壁ブロックどうしの間隔を規制してもよい。詳細には、相互に対峙する一対の側溝用側壁ブロックの、それぞれの蓋掛かりに受枠を架け渡し、当該受枠をボルト固定して、各側溝用側壁ブロックどうしの間隔を一定に規制することが考えられる。或いは、プレキャストコンクリート製の蓋を前記蓋掛かりにボルト固定して、間隔の規制を行ってもよい。尚、蓋に関しては、施工現場でコンクリートを打設して構成してもよい。詳細には、相互に対峙する各側溝用側壁ブロックの、それぞれの蓋掛かりに「捨て型枠」を架け渡し、当該型枠上にコンクリートを打設硬化させて、コンクリート蓋を構成することが考えられる。
【実施例】
【００３１】
さて、以下に本発明の最適と思われる実施例を図に沿って説明する。
【００３２】
（実施例１）
本実施例は、別々に形成された「外側壁１１」及び「内側壁１２」としての側溝用側壁ブロックを、掘穿された地中に対峙させ、しかる後、これら外側壁１１及び内側壁１２どうしの間にコンクリートを打設することにより側溝の底部（水路敷）を形成してなる迂回側溝１００である。
【００３３】
図１は、本実施例において内側壁１２として使用する側溝用側壁ブロックの斜視図を示すものであって、（ａ）は背面側、（ｂ）は正面側を示している。また図２は、本実施例において外側壁１１として使用する側溝用側壁ブロックの斜視図を示すものである。これらの側溝用側壁ブロックは、その両側に基礎壁面部１６が設けられ、この両側の基礎壁面部１６の間には突出斜面部１７ａと突出頂面部１７ｂとが一体的に形成されている。尚、当該突出斜面部１７ａどうしの開放角度は、約７０°となっている。尚、この開放角度は、図９に示すように０°にて形成しても使用可能である。この図９に示す形態は、突出壁面部１７を、擁壁両側の前記基礎壁面部１６から互いに鋭角に立ち上がる突出垂直面部１７ｃと、これら突出垂直面部１７ｃの先端を連結する突出頂面部１７ｂとを一体的に形成したものに相当する。一方、当該側溝用側壁ブロックを、図３に示す形態の如く構成した場合には、擁壁自体を上下反転させることによって外側壁１１としても内側壁１２としても使用可能となる。
【００３４】
図４は、本実施例に係る迂回側溝１００の完成形を模式的に表した図である。本実施例において、各側溝用側壁ブロックの下部には複数の穴１４が設けられており、其処へ他部材に係る連結部材（セパレータ１５）を挿通・固定することにより、相互に対峙する側溝用側壁ブロックどうしの間隔を一定に保っている。このセパレータ１５が挿通される穴１４は水路敷を構成するためにコンクリートが打設された後には隠蔽される高さ位置にあるため、打設コンクリートが硬化した後には当該セパレータ１５が補強筋としての役割を果たし、側溝用ブロックとしての強度を向上させることが可能となる。また、各側溝用側壁ブロックの上部の蓋掛かり１３上には、グレーチング３２を収容するため「受枠３１」が設置され、当該受枠３１が各側溝用側壁ブロックどうしの間隔を規制している。即ち、この図４に示す実施例においては、相互に対峙する各側溝用側壁ブロックを、上部と下部とから間隔の規制を行うため、施工精度の向上に資することとなる。
【００３５】
図５及び図６は、本実施例に係る迂回側溝１００を地中に設置した状態を示す図である。そして図７は、既設の水路（側溝）の一部を除去して、其処へ本実施例に係る迂回側溝１００を構成した状態を平面視した模式図である。尚、本実施例においては、図７における「Ａ」の水路幅が３００ｍｍの場合には「Ｂ」の水路幅は３２４．６４ｍｍ、「Ａ」の水路幅が４００ｍｍの場合には「Ｂ」の水路幅は４００ｍｍ、「Ａ」の水路幅が５００ｍｍの場合には「Ｂ」の水路幅は４５７．３６ｍｍとなるよう構成している。
【００３６】
なお、本実施例に使用する側溝用側壁ブロックの底部に凹部や切り欠きを形成することにより、水路敷を構成するために打設されたコンクリートとの付着面積を増やし、接合強度が向上させてよい。具体的には、図８に示すようにブロック底部に窪みを形成することが考えられるが、特段これに限定されず、例えば、ブロック底部を櫛歯状に構成することも考えられる。
【００３７】
以上から、本実施例に係る迂回側溝１００によれば、その側壁部のプレキャスト化が図られるので、長時間の養生が不要となって工期の短縮化が可能となる。
【００３８】
（実施例２）
本実施例は、図１０に示すように、上記実施例１に係る迂回側溝１００の構成中、特に、外側壁１１は、側溝用側壁ブロックの基礎壁面部１６の全部を幅方向へと縦切断して排除して、残りの基礎壁面部１６又は突出壁面部１７の突出斜面部１７ａと側溝ブロックの表側壁とを連結し、内側壁１２は、側溝用側壁ブロックの基礎壁面部１６の全部を幅方向へと縦切断して排除して、残りの基礎壁面部１６又は突出壁面部１７の突出斜面部１７ａと側溝ブロックの裏側壁とを連結して、迂回側溝１００を構成したものである。本実施例では、図１１乃至図１３に示すように、既設の水路（側溝）のうち、一方の側壁（裏側壁）を残すことができるので、上記実施例１よりも更に施工が容易となる。尚、前記側溝用側壁ブロックの突出壁面部１７の突出斜面部１７ａの一部を幅方向へと縦切断して排除して、残りの突出斜面部１７ａと側溝ブロックの片側壁とを連結した場合には、側溝ブロック敷設線上からの横方向への突出量を少なくすることができる。その他の構成は、上記実施例１と共通するので、その説明を省略する。
【００３９】
（実施例３）
本実施例は、図１４に示すように、別々に形成された「外側壁１１」及び「内側壁１２」としての側溝用側壁ブロックを、掘穿された地中に設置された底部プレート２０上に対峙させ、しかる後、これら外側壁１１及び内側壁１２と底部プレート２０とを、別途打設したコンクリートにて固着してなる迂回側溝１００である。特に本実施例は、２分割された側溝用側壁ブロックを使用したものである。以下、特に実施例１と異なる点について説明し、共通する部分についてはその説明を省略する。
【００４０】
本実施例では、外側壁１１及び内側壁１２の設置に先立って、掘穿された地中に水路敷として底部プレート２０を設置し、その上に外側壁１１及び内側壁１２を対峙させるように設置したものである。底部プレート２０と側溝用側壁ブロックとは連結ピン２１を介して連結されている。具体的には、底部プレート２０の上面に連結ピン２１を嵌入し、当該連結ピン２１を、側溝用側壁ブロック底面に穿設した孔に挿通させている。かかる構成を採ることにより、底部プレート２０上に対して各側溝用側壁ブロックを正確な位置に設置することが可能となる。尚、底部プレート２０の上面端部に、外側壁１１又は内側壁１２を設置するための凹部が形成した場合にも、当該底部プレート２０上に対し各側溝用側壁ブロックを正確な位置に設置することが可能となる。
【００４１】
一方、外側壁１１及び内側壁１２は、それぞれ２分割された板状部材にて構成されている。このように側溝用側壁ブロックを２分割された複数の部材から構成することにより、一つ一つの部材が小型化することからブロック一つずつが軽量となり、施工が容易となる。また本実施例においては、各側溝用側壁ブロックの上部の蓋掛かり１３上に、グレーチング３２を収容するための「受枠３１」を設置しているため、当該受枠３１が相互に対峙する各側溝用側壁ブロックどうしの間隔を規制するのは勿論のこと、該受枠３１が隣り合う２分割された側溝用側壁ブロックどうしの接合状態を保つため、施工精度の向上に資することとなる。
【産業上の利用可能性】
【００４２】
上記実施例においては、専ら電柱の迂回を目的として説明したが、本発明は特段これに限定されるものではなく、地面に立設される支柱一般を回避する場合にあっても適用可能である。
【図面の簡単な説明】
【００４３】
【図１】実施例１に使用する内側壁１２の斜視図である。
【図２】実施例１に使用する外側壁１１の斜視図である。
【図３】実施例１に使用可能なリバーシブルタイプの側溝用側壁ブロックの斜視図である。
【図４】実施例１に係る迂回側溝１００の完成した状態を模式的に表した図である。
【図５】実施例１に係る迂回側溝１００の完成した状態を表した図である。
【図６】実施例１に係る迂回側溝１００の完成した状態を表した図である。
【図７】実施例１に係る迂回側溝１００の完成した状態を模式的に表した平面図である。
【図８】実施例１に係る迂回側溝１００の他の実施形態を表した図である。
【図９】実施例１に係る迂回側溝１００の他の実施形態を表した図である。
【図１０】実施例２に係る迂回側溝１００の完成した状態を模式的に表した図である。
【図１１】実施例２に係る迂回側溝１００の完成した状態を表した図である。
【図１２】実施例２に係る迂回側溝１００の完成した状態を表した図である。
【図１３】実施例２に係る迂回側溝１００の完成した状態を模式的に表した平面図である。
【図１４】実施例３に係る迂回側溝１００の組立てを模式的に表した図である。
【図１５】実施例３に係る迂回側溝１００の完成した状態を表した図である。
【図１６】実施例３に係る迂回側溝１００の完成した状態を表した図である。
【符号の説明】
【００４４】
１１    外側壁（側溝用側壁ブロック）
１２    内側壁（側溝用側壁ブロック）
１３    蓋掛かり
１４    穴
１５    セパレータ
１６    基礎壁面部
１７    突出壁面部
１７ａ  突出斜面部
１７ｂ  突出頂面部
１７ｃ  突出垂直面部
２０    底部プレート
２１    連結ピン
３１    受枠
３２    グレーチング
３３    蓋
３４    Ｌ字鋼
１００  迂回側溝
２００  電柱
３００  既設の側溝
【図１】
2008002185.tif 000003
【図２】
2008002185.tif 000004
【図３】
2008002185.tif 000005
【図４】
2008002185.tif 000006
【図５】
2008002185.tif 000007
【図６】
2008002185.tif 000008
【図７】
2008002185.tif 000009
【図８】
2008002185.tif 000010
【図９】
2008002185.tif 000011
【図１０】
2008002185.tif 000012
【図１１】
2008002185.tif 000013
【図１２】
2008002185.tif 000014
【図１３】
2008002185.tif 000015
【図１４】
2008002185.tif 000016
【図１５】
2008002185.tif 000017
【図１６】
2008002185.tif 000018